(57)【要約】【課題】  常に最適な消去パワーに設定して、上書き記録の記録特性を向上させると共に、光ディスクの耐久性悪化を最小限に押さえた光ディスク記録再生装置を提供する。【解決手段】  上書き記録を行う既記録領域を再生して、既記録部変調度を測定（１１）し、複数レベルの記録パワーを用いて、テスト記録領域の記録再生を行い記録パワーに対する変調度の関係を求め（１５）、前記関係から、前記既記録部の変調度に対応する既記録部記録パワー、および最適変調度に対応する最適記録パワーを求め（１５）、前記既記録部記録パワーでテスト記録領域の記録を行い、この下地領域上に、前記最適記録パワーおよび複数レベルの消去パワーを用いて、上書き記録を行い（１７）、これを再生してジッタを測定（１２）し、所定のジッタの値以下となる消去パワーから、最適消去パワーを求め（１６）る。【選択図】      図１
2006268943.tif 000002
【特許請求の範囲】
【請求項１】
光記録媒体の既記録領域に上書き記録を行う光ディスク記録再生装置において、
上書き記録を行う予定の既記録領域を再生して、既記録部に記録されている情報の変調度を測定する変調度測定部と、
予め定められた複数のレベルの記録パワーを用いて、前記光ディスクのテスト記録領域の記録再生を行わせると共に、前記複数レベルの記録パワーをメモリに格納させる制御手段と、
前記メモリに格納された前記複数の記録パワーを読み出し、前記複数の記録パワーに対する変調度を測定して、前記複数の記録パワーに対する前記変調度の関係を求める第１演算手段と、
前記複数の記録パワーに対する変調度の関係から、前記既記録部に記録されている情報の変調度に対応する既記録部記録パワーを求める既記録部記録パワー算出手段と、
前記既記録部記録パワー算出手段で求められた前記既記録部記録パワーで、前記テスト記録領域に記録を行わせる指示信号を前記制御手段に出力する第１指示手段と、
前記第１演算手段で求められた前記複数の記録パワーに対する変調度の関係から、前記光ディスクの情報を記録再生する際に決定されている最適変調度に対応する最適記録パワーを求める最適記録パワー取得手段と、
前記最適記録パワーおよび予め決められた複数レベルの消去パワーを用いて、前記テスト領域に記録されている情報の上に上書き記録を行う上書き記録手段と、
前記テスト領域に上書き記録されている情報を再生して、ジッタを測定するジッタ測定手段と、
前記ジッタ測定手段で測定されたジッタと前記複数の消去パワーとの関係を求める第２演算手段と、
前記複数の消去パワーとジッタの関係に基づき、所定のジッタの値以下となる消去パワーから、最適消去パワーを求める最適消去パワー取得手段と、
前記最適記録パワーおよび前記最適消去パワーを用いて、前記光ディスクの既記録領域の上書き記録を行わせる指示信号を前記制御手段に出力する第２指示手段と、
を備えたことを特徴とする光ディスク記録再生装置。
【発明の詳細な説明】
【技術分野】
【０００１】
本発明は、書き換え可能型光ディスクに記録を行う光ディスク記録再生装置に関し、特に、ＯＰＣ（Ｏｐｔｉｍｕｍ  Ｐｏｗｅｒ  Ｃｏｎｔｒｏｌ）と呼ばれる記録パワーキャリブレーション動作に関するものである。
【背景技術】
【０００２】
記録型光ディスクには、追記型（Ｗｒｉｔｅ  Ｏｎｃｅ）と書き換え可能型（Ｅｒａｓａｂｌｅ）とがある。このうち、書き換え可能型光ディスクの上書き記録（オーバーライト）には、図６に示すように、レーザパワーが記録パワーＰｗと消去パワーＰｅの２値で変化するレーザビームが使用される。この場合、記録パワーＰｗによって光ディスクの記録膜の状態が結晶状態からアモルファス状態に変化してピットが形成され、また、消去パワーＰｅによってアモルファス状態から結晶状態に変化して既記録ピットが消去される。
光ディスク上書き記録時のレーザビームの最適記録パワーＰｗｏと最適消去パワーＰｅｏは、光ディスクの種類、記録速度、記録装置によって異なる。このため、情報の記録に先立って、実際に記録を行う記録装置でＯＰＣと呼ばれる記録パワーキャリブレーション動作を行い、光ディスク、記録速度に合わせた最適記録パワーＰｗｏ、最適消去パワーＰｅｏを設定して、記録データの上書き記録を行っている。
【０００３】
このＯＰＣでは、記録状態の良否を表す特性パラメータの最適値を記録装置のメモリに保存しておき、その最適値を目標として、テスト記録を行い、最適記録パワーを設定する。この特性パラメータの最適値は、予め実験により、光ディスク媒体の種類、記録速度の組合せに対して、それぞれ求めたものである。
しかし光ディスク媒体は交換可能なため、媒体はさまざまな種類の記録装置で記録されることになり、記録されるパワーはさまざまとなる。媒体に既に記録されている領域に上書き記録を行う場合、この領域の記録パワーが高いと、ある程度高い消去パワーで消去しなければ、完全に消去することができない。また、上書き記録時の記録特性を向上させようとして、上書き記録の記録パワーおよび消去パワーを高めに設定すると、ピットの記録の深さが大きくなり、光ディスクの耐久性が悪化するという問題があった。
【０００４】
そこで、ＯＰＣ動作を工夫することで、上書き記録の記録特性、光ディスクの耐久性を向上させた光ディスク記録装置が提案（例えば、特許文献１参照。）されており、以下その１例について説明する。
最初に、これから上書き記録しようとする既記録領域を再生し、既記録部の変調度Ｍｉｎｉを測定する。また媒体の種類と記録速度に応じた目標変調度Ｍｗｏを読み込み、Ｍｉｎｉ、Ｍｗｏの値を記憶する。そして、記録パワーＰｗを変化させて、テスト信号を記録再生し、記録パワー毎の変調度Ｍを測定して、図４に示すような記録パワーＰｗと変調度Ｍの関係を示す特性を得る。前記特性から、既記録部の変調度Ｍｉｎｉに対応する既記録部の記録パワーＰｉｎｉ、および目標変調度Ｍｗｏに対応する最適記録パワーＰｗｏを求める。
ついで、変調度Ｍｉｎｉと目標変調度Ｍｗｏとにより下記のように、記録パワーを決る。
Ｍｗｏ≧Ｍｉｎｉの場合は、記録パワーＰｗは、ＯＰＣ動作で測定された最適記録パワーＰｗｏよりも低い記録パワーＰｉｎｉに設定する。Ｍｗｏ＜Ｍｉｎｉの場合は、記録パワーＰｗは、前回の記録時の記録パワーＰｉｎｉより一定割合だけ低いパワーに設定する。また消去パワーＰｅは、光ディスクにＡＴＩＰ情報として記録されている係数（消去／記録パワー比）および係数κ（低速記録用消去／記録パワー比補償係数）を用いて、上書き記録パワーＰｗより算出して、設定する。
こうして、記録パワーを、できるだけ小さく抑えて、記録特性を良好な状態に維持しつつ、ディスク及び記録装置などの耐久性を確保できることが記述されている。
【特許文献１】特開２００１−３５１２４９号公報（第５−７頁、第１−３図）
【発明の開示】
【発明が解決しようとする課題】
【０００５】
しかしながら、従来例では、記録パワーを、できるだけ小さく抑えて、耐久性の向上を図っているが、消去パワーについては、記録パワーに予め設定された所定の係数をかけたものとして設定しているだけである。このため、消去パワーは周囲温度、記録装置の経年劣化など記録条件が変化すると、必ずしも最適な消去パワーに設定されるとは限らない。
【０００６】
そこで、本発明は、上記のような問題点を解消するためになされたもので、常に最適な消去パワーに設定して、上書き記録の記録特性を向上させると共に、光ディスクの耐久性悪化を最小限に押さえた光ディスク記録再生装置を提供することを目的とする。
【課題を解決するための手段】
【０００７】
本願発明における第１の発明は、光記録媒体の既記録領域に上書き記録を行う光ディスク記録再生装置において、上書き記録を行う予定の既記録領域を再生して、既記録部に記録されている情報の変調度を測定する変調度測定部（変調度測定部１１）と、予め定められた複数のレベルの記録パワーを用いて、前記光ディスクのテスト記録領域の記録再生を行わせると共に、前記複数レベルの記録パワーをメモリに格納させる制御手段（ＯＰＣ  ＆  パワー設定部１７）と、前記メモリに格納された前記複数の記録パワーを読み出し、前記複数の記録パワーに対する変調度を測定して、前記複数の記録パワーに対する前記変調度の関係を求める第１演算手段（変調度関連演算部１５）と、前記複数の記録パワーに対する変調度の関係から、前記既記録部に記録されている情報の変調度に対応する既記録部記録パワーを求める既記録部記録パワー算出手段（変調度関連演算部１５）と、前記既記録部記録パワー算出手段で求められた前記既記録部記録パワーで、前記テスト記録領域に記録を行わせる指示信号を前記制御手段に出力する第１指示手段（ＯＰＣ  ＆  パワー設定部１７）と、前記第１演算手段で求められた前記複数の記録パワーに対する変調度の関係から、前記光ディスクの情報を記録再生する際に決定されている最適変調度に対応する最適記録パワーを求める最適記録パワー取得手段（変調度関連演算部１５）と、前記最適記録パワーおよび予め決められた複数レベルの消去パワーを用いて、前記テスト領域に記録されている情報の上に上書き記録を行う上書き記録手段（ＯＰＣ  ＆  パワー設定部１７）と、前記テスト領域に上書き記録されている情報を再生して、ジッタを測定するジッタ測定手段（ジッタ測定部１２）と、前記ジッタ測定手段で測定されたジッタと前記複数の消去パワーとの関係を求める第２演算手段（ジッタ関連演算部１６）と、前記複数の消去パワーとジッタの関係に基づき、所定のジッタの値以下となる消去パワーから、最適消去パワーを求める最適消去パワー取得手段（ジッタ関連演算部１６）と、前記最適記録パワーおよび前記最適消去パワーを用いて、前記光ディスクの既記録領域の上書き記録を行わせる指示信号を前記制御手段に出力する第２指示手段（ＯＰＣ  ＆  パワー設定部１７）と、
を備えたことを特徴とする光ディスク記録再生装置を提供する。
【発明の効果】
【０００８】
本発明によれば、上書き記録を行う予定の既記録領域を再生して、既記録部に記録されている情報の変調度を測定する変調度測定部と、予め定められた複数のレベルの記録パワーを用いて、前記光ディスクのテスト記録領域の記録再生を行わせると共に、前記複数レベルの記録パワーをメモリに格納させる制御手段と、前記メモリに格納された前記複数の記録パワーを読み出し、前記複数の記録パワーに対する変調度を測定して、前記複数の記録パワーに対する前記変調度の関係を求める第１演算手段と、前記複数の記録パワーに対する変調度の関係から、前記既記録部に記録されている情報の変調度に対応する既記録部記録パワーを求める既記録部記録パワー算出手段と、前記既記録部記録パワー算出手段で求められた前記既記録部記録パワーで、前記テスト記録領域に記録を行わせる指示信号を前記制御手段に出力する第１指示手段と、前記第１演算手段で求められた前記複数の記録パワーに対する変調度の関係から、前記光ディスクの情報を記録再生する際に決定されている最適変調度に対応する最適記録パワーを求める最適記録パワー取得手段と、前記最適記録パワーおよび予め決められた複数レベルの消去パワーを用いて、前記テスト領域に記録されている情報の上に上書き記録を行う上書き記録手段と、前記テスト領域に上書き記録されている情報を再生して、ジッタを測定するジッタ測定手段と、前記ジッタ測定手段で測定されたジッタと前記複数の消去パワーとの関係を求める第２演算手段と、前記複数の消去パワーとジッタの関係に基づき、所定のジッタの値以下となる消去パワーから、最適消去パワーを求める最適消去パワー取得手段と、前記最適記録パワーおよび前記最適消去パワーを用いて、前記光ディスクの既記録領域の上書き記録を行わせる指示信号を前記制御手段に出力する第２指示手段と、を備えているので、
常に最適な消去パワーに設定して、上書き記録の記録特性を向上させると共に、光ディスクの耐久性悪化を最小限に押さえた光ディスク記録再生装置を提供することができる。
またこの方式は、その場で最適上書きパワーを求めているため、周囲温度、記録装置の経年劣化など、記録条件が変化しても最適な上書き記録パワーを常に求めることができる。さらに、記録再生装置にとっては未知の媒体（記録再生装置の開発製造以後に発売された媒体など）に対しても最適な上書き記録パワーを求めることができる。
【発明を実施するための最良の形態】
【０００９】
以下本発明の実施形態の光ディスク記録再生装置について図１〜図５を用いて説明する。
図１は、本発明の光ディスク記録再生装置の構成を示すブロック構成図である。図２、図３は、上書き記録時のＯＰＣ動作を示すフローチャートである。図４は、ＯＰＣ動作のテスト記録再生で得られた記録パワーと変調度の関係を示す図である。図５は、ＯＰＣ動作のテスト記録再生により得られた消去パワーとジッタの関係を示す図である。
本発明は、その場で記録パワー、消去パワーよりなる最適上書きパワーを求めるもので、
以下、図面を参照して本発明の実施例を説明する。なお、記録状態の良否を表す特性パラメータは、変調度Ｍとする。
（実施例１）
【００１０】
本発明における光ディスク記録再生装置は、図１に示すように、光ディスク１、スピンドルモータ２、光ピックアップ３、モータドライバ４、光ＰＵ送り制御部５、サーボ系６、ヘッドアンプ再生系７、ＬＤドライバ８、データ復号化部９、記録符号化部１０、変調度測定部１１、ジッタ測定部１２、およびこれらを制御するシステムコントローラ１３から構成されている。さらにシステムコントローラ１３は、記録情報メモリ１４、変調度関連演算部１５、ジッタ関連演算部１６、ＯＰＣ  ＆  パワー設定部１７、制御部１８から構成されている。
【００１１】
記録再生時、光ピックアップ３は、ＬＤドライバ８により駆動されたレーザ光を光ディスク１へ出射するとともに、この反射光を光検出器により検出して再生ＲＦ信号とし、ヘッドアンプ検出系７に出力する。ヘッドアンプ検出系７は、前記再生ＲＦ信号に基づいて、再生信号、フォーカスエラー信号、トラッキングエラー信号、ランドプリピットなどのプリフォーマット信号、その他制御用信号を生成して、出力する。
システムコントローラ１３は、モータドライバ４によりスピンドルモータ２を駆動して、光ディスクを所定の速度で回転させるとともに、光ピックアップ送り制御部５によりレーザ光を所定のアドレス位置に集光する。またサーボ系６により、トラッキング、フォーカスを制御する。
こうして、記録時、記録データは、記録符号化部１０により記録信号として符号化され、ＬＤドライバを介して光ピックアップにより記録される。また再生時、ヘッドアンプ再生系から出力された再生信号は、データ復号部９により復号され、再生データとして出力される。
【００１２】
また、ＯＰＣ動作時には、ヘッドアンプ再生系７出力の再生信号は、システムコントローラの制御のもとに、変調度測定部１１、ジッタ測定部１２に出力される。
変調度測定部は、再生信号の変調度Ｍを測定し、ＯＰＣ  ＆  パワー設定部１７に出力する。ＯＰＣ  ＆  パワー設定部は、後述するように、上記変調度Ｍに基づいて最適記録パワーＰｗｏを設定して、この最適記録パワーＰｗｏをＬＤドライバ８に供給する。
ジッタ測定部は、再生信号のジッタＪを測定し、ＯＰＣ  ＆  パワー設定部１７に出力する。ＯＰＣ  ＆  パワー設定部は、後述するように、上記ジッタＪに基づいて最適消去パワーＰｅｏを設定して、この最適消去パワーＰｅｏをＬＤドライバ８に供給する。
【００１３】
なお、システムコントローラの記録情報メモリ１４には、ＲＯＭ（Ｒｅａｄ  Ｏｎｌｙ  Ｍｅｍｏｒｙ）として、光ディスクの種類（ＩＤナンバ）、記録速度に応じたＭ値（目標変調度Ｍｗｏ）のテーブル、および光ディスクの種類に応じてＯＰＣのスタートパワー、ステップパワー、および記録パワーと消去パワーの比が設定されたテーブルが記憶されている。また、ＲＡＭ（Ｒａｎｄｏｍ  Ａｃｃｅｓｓ  Ｍｅｍｏｒｙ）として、過去のＯＰＣの履歴、すなわち、過去に測定された最適記録パワーが記憶される。このＯＰＣ履歴はある一定時間保持される。
【００１４】
本発明は、光ディスクのこれから上書きする領域（以後、下地と呼ぶ。）の状態をあらかじめシミュレートした状態をテスト記録領域内に作成し、その下地をさらに細かい領域に分け、その領域毎に消去パワーを変えて上書き記録をし、その前記領域毎にジッタを計測し、下地の上書き記録に最適な消去パワーを求め、上書き記録するところに特徴がある。以下、図２、図３のフローチャートにより、上書き記録時のＯＰＣ動作について説明する。
【００１５】
既に記録されている領域へ上書き記録する場合には、上書き記録を開始する前に、上書き記録ＯＰＣ動作に入り、記録パワー、消去パワーよりなる上書きパワーを設定して、上書き記録を開始する。
図２において、システムコントローラは、既にピットが記録された既記録領域の上書き記録を開始する位置から一定長のブロックを再生する（ステップＳ１）。
次に、前記再生信号から再生部分の変調度Ｍｉｎｉを測定する（ステップＳ２）。
次に、記録速度を記録コマンドの指定する値に設定し、光ディスクからＬＰＰ（Ｌａｎｄ  Ｐｒｅ−Ｐｉｔ）情報として記録されているＩＤナンバを取得し、光ディスクの種類（メディアの種類）を判別する（ステップＳ３）。
次に、メディアの種類と記録速度に応じたＭ値（目標変調度Ｍｗｏ）が予め設定されたシステムコントローラの記録情報メモリのテーブルを、メディアの種類と記録速度とで参照して目標変調度Ｍｗｏを読み込む（ステップＳ４）。
そして、記録速度に応じたシステムコントローラの記録情報メモリのテーブルを選択し、記録パワーＰｗを、上記選択したテーブルに設定されているスタートパワーからステップパワー単位で１６段階変化させて、光ディスクのテスト記録領域にテスト信号を記録する（ステップＳ５）。このとき消去パワーＰｅは、本実施例では記録パワーＰｗと消去パワーＰｅの比をシステムコントローラの記録情報メモリ内のテーブルから読み込み、比を一定に保ちながら１６段階の設定をしている。
次に、上記のテスト信号の記録部分を再生し、１６段階の記録パワーＰｗ毎に変調度Ｍを測定して、図４に示すような記録パワーに対する変調度特性を得る（ステップＳ６）。
そして、１６段階の記録パワーＰｗ毎の変調度Ｍ（図４に示す特性）から、変調度Ｍｉｎｉ（ステップＳ２で得た値）に対応する記録パワーＰｉｎｉを求める（ステップＳ７）。
次に、図４に示す記録パワーに対する変調度特性から、目標変調度Ｍｗｏに対応する最適記録パワーＰｗｏを求める（ステップＳ８）。
以上により、既記録部の記録パワーＰｉｎｉおよび最適記録パワーＰｗｏが求められる。
【００１６】
さらに図３において、テスト記録領域に、既記録部の記録パワーＰｉｎｉで記録して、下地Ａを作成する（ステップＳ１１）。
この下地Ａを、さらに細かくＡ０〜Ａ１５の領域に区分けする（ステップＳ１２）。
次に、記録パワーをＰｗｏ固定とし、それと組み合わせる消去パワーをステップパワー毎にＰｅ０〜Ｐｅ１５とし、消去パワーを可変させながらそれぞれのパワーの組合せでＡ０〜Ａ１５に上書き記録を行う（ステップＳ１３）。
そしてＡ０〜Ａ１５の領域毎にジッタを測定して、図５に示すような消去パワーに対するジッタ特性を得る（ステップＳ１４）。
このとき得た消去パワーに対するジッタ特性より、あらかじめ定めたジッタマージンを満たす（本実施例では、設定ジッタマージンの中点とする。）消去パワーＰｅを最終的な上書き用最適消去パワーＰｅｏとする（ステップＳ１５）。
以上により、最適消去パワーＰｅｏが求まって、上書き記録時のＯＰＣが終了する。実際の記録データの上書き記録は、前記最適記録パワーＰｗｏ、前記最適消去パワーＰｅｏにより行えばよい。
なお、未記録領域へ記録する場合は、記録パワーは、前記最適記録パワーＰｗｏに設定し、消去パワーＰｅｏは、記録情報メモリ１４に記憶された記録速度、光ディスクの種類に対応した記録パワーと消去パワーの比を使って前記最適記録パワーＰｗｏから算出した消去パワーに設定すればよい。
【００１７】
以上のように、本発明の第1実施形態によれば、上記した構成があるので、上書き記録時の記録パワーＰｗｏ、消去パワーＰｅｏを設定することで、上書き時の消し残りを最小限に押さえることができる。さらに、単純に強めのパワーで上書き記録を行うのではないため、記録特性を良好な状態に維持しつつ、ディスク及び記録装置などの耐久性を確保できる、という効果がある。
またこの方式は、その場で最適上書きパワーを求めている為、周囲温度、記録装置の経年劣化など、記録条件が変化しても最適な上書き記録パワーを常に求めることができる。また、記録再生装置にとっては未知の媒体（記録再生装置の開発製造以後に発売された媒体など）に対しても最適な上書き記録パワーを求めることができる。
【図面の簡単な説明】
【００１８】
【図１】本発明の実施形態における光ディスク記録再生装置の構成を示すブロック構成図である。
【図２】本発明の光ディスク記録再生装置において、上書き記録時のＯＰＣにより記録パワーを設定する動作を示すフローチャートである。
【図３】本発明の光ディスク記録再生装置において、上書き記録時のＯＰＣにより消去パワーを設定する動作を示すフローチャートである。
【図４】本発明の光ディスク記録再生装置におけるＯＰＣ動作のテスト記録再生で得られた記録パワーと変調度の関係を示す図である。
【図５】本発明の光ディスク記録再生装置におけるＯＰＣ動作のテスト記録再生により得られた消去パワーとジッタの関係を示す図である。
【図６】本発明の光ディスク記録再生装置における上書き記録パワーの説明図で、（Ａ）は、上書き記録波形、（Ｂ）は、ピット波形を示す。
【符号の説明】
【００１９】
１  光ディスク、２  スピンドルモータ、３  光ピックアップ、４  モータドライバ、５光ＰＵ送り制御部、６  サーボ系、７  ヘッドアンプ再生系、８  ＬＤドライバ、９  データ復号化部、１０  記録符号化部、１１  変調度測定部、１２  ジッタ測定部、１３  システムコントローラ、１４  記録情報メモリ、１５  変調度関連演算部、１６  ジッタ関連演算部、１７  ＯＰＣ  ＆  パワー設定部、１８  制御部
【図１】
2006268943.tif 000003
【図２】
2006268943.tif 000004
【図３】
2006268943.tif 000005
【図４】
2006268943.tif 000006
【図５】
2006268943.tif 000007
【図６】
2006268943.tif 000008